(57)【要約】【課題】  本発明は、携帯電話において、文字入力の時間や労力を軽減することができる通信端末装置および通信方法を提供する。【解決手段】  本発明の通信端末装置は、情報を入力するためのキー入力部４と、情報を表示する表示部５と、装置本体の傾きを検出する傾き検出センサ３と、検出センサ３により検出された傾きに応じて、キー入力部４に対する入力操作に関連する情報を、表示部５に表示させるCPU２とを備えたものである。【選択図】        図１
2005159470.tif 000002
【特許請求の範囲】
【請求項１】
無線通信を介して入力された送信すべき情報に対して通信処理を施して送信する通信端末装置において、
情報を入力するための入力手段と、
上記情報を表示する表示手段と、
上記装置本体の傾きを検出する傾き検出手段と、
上記検出手段により検出された傾きに応じて、上記入力手段に対する入力操作に関連する情報を、上記表示手段に表示させる制御手段と
を備えたことを特徴とする通信端末装置。
【請求項２】
請求項１記載の通信端末装置において、
上記検出手段により検出された傾き及び上記入力手段に対する押圧操作により上記表示手段に表示された情報は、上記入力手段からの離隔操作により決定されることを特徴とする通信端末装置。
【請求項３】
請求項１記載の通信端末装置において、
上記情報は複数の文字種及び複数の送受信者のアドレス帳を含むことを特徴とする通信端末装置。
【請求項４】
請求項３記載の通信端末装置において、
上記検出手段により検出された傾きにより、上記複数の文字種又は上記複数の送受信者のアドレス帳を上記表示手段に表示させることを特徴とする通信端末装置。
【請求項５】
請求項４記載の通信端末装置において、
上記複数の文字種のうちの任意の文字種を上記表示手段に表示させた後に、上記入力手段により数字のみが入力可能とされることを特徴とする通信端末装置。
【請求項６】
無線通信を介して入力された送信すべき情報に対して通信処理を施して通信端末装置により送信する通信方法において、
情報を入力手段により入力するためのステップと、
上記情報を表示手段に表示するステップと、
上記装置本体の傾きを傾き検出手段により検出するステップと、
上記検出手段により検出された傾きに応じて、上記入力手段に対する入力操作に関連する情報を、制御手段により上記表示手段に表示させるステップと
を備えたことを特徴とする通信方法。
【請求項７】
請求項６記載の通信方法において、
上記検出手段により検出された傾き及び上記入力手段に対する押圧操作により上記表示手段に情報を表示し、上記入力手段からの離隔操作により表示された情報の内容が決定されることを特徴とする通信方法。
【請求項８】
請求項６記載の通信方法において、
上記検出手段により検出された傾きにより、上記情報として複数の文字種又は複数の送受信者のアドレス帳を上記表示手段に表示させることを特徴とする通信方法。
【請求項９】
請求項８記載の通信方法において、
上記複数の文字種のうちの任意の文字種を上記表示手段に表示させた後に、上記入力手段により数字のみが入力可能とされることを特徴とする通信方法。
【発明の詳細な説明】
【技術分野】
【０００１】
本発明は、入力手段により情報の入力が可能な通信端末装置および通信方法に関する。
【背景技術】
【０００２】
携帯電話やPDA(Personal Digital Assistant)などの携帯端末装置が普及したことに伴い、電子メールやスケジュール管理のために文字入力を高速に行うための操作が要求されている。
【０００３】
特許文献１には、表示装置、入力装置、CPU(Central Processing Unit)、加速度センサ、文字データベースROM(Read Only Memory)から構成され、本体の傾きに伴う加速度を検出することにより、文字変換候補の選択、決定、バックスペース、ESC等の命令を実行する文字変換装置が開示されている。
【０００４】
特許文献２には、傾き検出手段により検出された傾きに基づいて、表示手段の表示を変化させ、設定手段を押した時に表示手段に表示されていたものを設定手段による設定内容とする入力装置が開示されている。
【０００５】
【特許文献１】特開２０００−１９４６９３号公報
【特許文献２】特開平１０−２００６１８号公報
【発明の開示】
【発明が解決しようとする課題】
【０００６】
上述した従来の携帯端末装置では、入力キーの配置数に厳しい制限があるうえ、日本語の５０音の仮名文字はアルファベットなどに比べて種類が多い。このことから、仮名文字を１文字入力するためには、同一のキーを複数回押下する入力方法が一般的であるが、この入力方法では入力にかかる時間や労力が非常に多くなるという不都合があった。
【０００７】
そこで、母音キーと子音キーの組み合わせを５０音の仮名文字に対応させる入力方法や、特許文献１のように、仮名漢字変換などの操作に加速度センサを用いてキー押下の回数を低減する文字変換装置が提案されていたが、これはPDAの変換時の表示のみに関するものであり、携帯電話の入力時の表示については何ら開示されていないという不都合があった。
【０００８】
また、特許文献２には、携帯電話の傾きに基づいて入力表示を行う入力装置が提案されていたが、数字入力のみに関するものであり、仮名文字については何ら開示されておらず、しかもこれは設定キーが必須でありキーの数が増加すると共にその操作が余計に必要となるという不都合があった。
【０００９】
そこで、本発明は、携帯電話において、文字入力の時間や労力を軽減することができる通信端末装置および通信方法を提供することを課題とする。
【課題を解決するための手段】
【００１０】
上記課題を解決し、本発明の目的を達成するため、本発明の通信端末装置は、情報を入力するための入力手段と、情報を表示する表示手段と、装置本体の傾きを検出する傾き検出手段と、検出手段により検出された傾きに応じて、入力手段に対する入力操作に関連する情報を、表示手段に表示させる制御手段とを備えたものである。
【００１１】
制御手段は、傾き検出手段から検出された装置本体の傾きデータを取り込み、装置本体の傾きを表示手段に表示させる。制御手段は、キー入力手段の押下を検出したら、キー入手段のキーの種類と装置本体の傾斜状態に応じた文字を表示手段に表示させる。
【００１２】
また、本発明の通信方法は、情報を入力手段により入力するためのステップと、情報を表示手段に表示するステップと、装置本体の傾きを傾き検出手段により検出するステップと、検出手段により検出された傾きに応じて、入力手段に対する入力操作に関連する情報を、制御手段により表示手段に表示させるステップとを備えたものである。
【００１３】
制御手段のステップにより、傾き検出手段により検出された装置本体の傾きデータを取り込み、装置本体の傾きを表示手段に表示させる。制御手段のステップにより、キー入力手段の押下を検出したら、キー入力手段のキーの種類と装置本体の傾斜状態に応じた文字を表示手段に表示させる。
【発明の効果】
【００１４】
本発明の通信端末装置によれば、少ないキーの押下回数で文字の入力を行うことができるので、入力速度の向上を図ることができる。本発明の通信方法によれば、少ない処理で処理速度の向上を図ることができる。
【００１５】
特に、５０音の平仮名の入力で、「企画（規格）」、「取っ手（とって）」、「鉄道（てつどう）」など、同じ行が連続する単語に対して、現状の入力方式では、カーソルの移動の操作が必要になるのに対して、本発明では、同じキーと傾きの組み合わせにより入力表示を変化させて実行することができる。また、押下されたキーの離隔により、入力表示された文字を確定することで余計なキーやそのための処理を削減することができる。また、傾斜状態を文字種に対応させることにより、文字種の変更が容易になるため、時刻や電話番号などの数字交じりの仮名文章の入力表示を容易にすることができる。
【発明を実施するための最良の形態】
【００１６】
図１は、本発明の実施の形態の通信端末装置が適用される携帯端末装置の概観図である。
図１において、携帯端末装置１は、送信すべき情報を入力するためのキー入力部４と、送信すべき情報を表示する表示部５と、装置本体の傾きを検出する傾き検出センサ３と、傾き検出センサ３により検出された傾きに応じて、キー入力部４に対する入力操作に関連する情報を、表示部５に表示させるCPU２とを有して構成される。
【００１７】
CPU２は、定期的に傾き検出センサ３から検出された装置本体の傾きデータを取り込み、装置本体の傾きをユーザーが視覚により確認できるように表示部５に表示させる。このとき、CPU２は、キー入力部４の押下を検出したら、キー入力部４のキーの種類と装置本体の傾斜状態に応じた文字を表示部５に表示させる。
【００１８】
図２は、本発明の実施の形態の通信端末装置が適用される携帯端末装置の構成を示すブロック図である。この携帯端末装置は、例えば、W−CDMA（Wideband‐Code Division Multiple Access）方式に適用可能な構成を想定している。
【００１９】
送信時には、通信処理部８において、レイヤ１（物理レイヤ）が処理を行うデータの基本単位（MAC（Medium Access Control）レイヤからレイヤ１にデータが転送される単位）であるトランスポートブロック（TB：Transport Block）毎にブロック誤りを検出するためのCRC（Cyclic Redundancy Check）符号を付加後、チャンネル符号化（誤り訂正符号化）及びインターリーブされる。
【００２０】
インターリーブ後のビット系列は、チャンネル推定のためのパイロットビット等のオーバーヘッドを付加された後、データ変調される。データ変調マッピングされた位相平面上の同相及び直交成分は、それぞれ２階層の拡散符号系列で拡散される。
【００２１】
拡散後のチップデータ系列は、自乗余弦ルートナイキストフィルタで５MHZ帯域に帯域制限された後、D/A変換器でアナログ信号に変換後、直交変換される。ＲＦ処理部７において直交変換された中間周波数信号はさらに２GHZ帯のRF信号に周波数変換後、電力増幅されてアンテナ１０を介して無線通信により送信される。
【００２２】
受信時には、図２において、携帯端末装置にアンテナ１０を介して無線通信により入力した受信信号は、RF処理部7において低雑音増幅器で増幅され、高周波数から中間周波数に周波数変換された後、自動利得制御増幅器で線形増幅される。
【００２３】
また、通信処理部８において、増幅後の信号は直交検波されて、同相及び直交成分を生じる。この同相及び直交成分のアナログ信号は、A/D変換器でディジタル信号に変換される。さらにディジタル値変換された同相及び直交成分はルートナイキストフィルタで帯域制限後、拡散された受信信号の拡散符号と同一の拡散符号で、逆拡散することにより、伝搬遅延時間の異なる複数のマルチパス成分に時間分離される。
【００２４】
時間分離されたパスはコヒーレントレイク合成され、レイク合成後のデータ系列は、デインターリーブ及びチャネル復号による誤り訂正復号の後、２値のデータ判定が行われ、送信データ系列が再生される。再生データ系列から各トランスポートチャネルへの分離およびブロック誤りの検出が行われ、再生データが出力される。
【００２５】
出力された再生データは制御部９の上位レイヤのアプリケーションソフトウエア処理部に転送される。ユーザーがキー入力部４にキー入力することにより、制御部９の上位レイヤのアプリケーションソフトウエア処理部は表示部５に再生データおよび再生状態の表示を行う。
【００２６】
上述した携帯端末装置の制御部９、キー入力部４及び表示部５において、本発明の実施の形態の通信装置が適用される。以下、この通信装置について説明する。
【００２７】
図３は、本発明の実施の形態の通信装置の要部を示すハードウエア構成図である。
ここで、制御部９は、CPU２及びメモリ６により構成される。メモリ６にはCPU２の動作プログラム及び処理データが記憶される。
【００２８】
図４は、文字入力モードの動作を示すフローチャートである。
図4は、CPU２内でメモリ６に記憶されている動作プログラムに基づいて文字入力モードの動作が行われる場合の処理を示すものである。
【００２９】
図４において、文字入力モードに入ると、ステップS１で、タイマーをセットする。具体的には、CPU２は、100msecのタイマーをセットする。
【００３０】
ステップS２で、タイマーが切れているか否かを判断する。具体的には、CPU２は、セットしたタイマーの100msecが経過しているか否かを判断する。
【００３１】
ステップS２でタイマーが切れているとき、ステップS３で、センサ情報を入手し、センサ情報を描画し、さらにタイマーをセットする。具体的には、CPU２は、傾き検出センサ３から検出された装置本体の傾きデータを取り込み、装置本体の傾斜状態を計算してメモリ６内に保持すると共に表示部５に傾斜状態の描画を行って、再び100msecのタイマーをセットする。なお、ステップS２でタイマーが切れていないときは、直ちにステップS４へ移行する。
【００３２】
ステップS４で、文字種が選択されているか否かを判断する。具体的には、CPU２は、装置本体の傾斜状態に応じた文字種が選択されているか否かを判断する。なお、ステップS４で、文字種が選択されていないときは、直ちにステップS７へ移行する。
【００３３】
ステップS５で、キーが押下されたか否かを判断する。具体的には、CPU２は、装置本体の傾斜状態に応じて文字種が選択されている状態で、キーが押下されたか否かを判断する。この場合、装置本体の傾斜状態に応じた文字種のキーが押下されたとき、その文字種の選択が確定する。なお、ステップS５で、キーが押下されていないときは、直ちにステップS７へ移行する。
【００３４】
ステップS５でキーが押下されたとき、ステップS６で、センサ情報とキーから文字をセレクトし、文字を描画する。具体的には、CPU２は、キー入力部４によりキー入力されたキーデータを表示のために取り込みメモリ６内に保持すると共に、メモリ６内に表示のために保持されている装置本体の傾斜状態とから装置本体の傾きとキーの組み合わせに対応する文字を選択し、表示部５に選択された文字の描画をする。
【００３５】
ステップS７で、文字入力モードの終了要求があるか否かを判断する。具体的には、CPU２は、キー入力部４により終了のためのキー入力がされたとき、表示部５に選択された文字をキー入力部４によりメモリ６内に保持するためのキー入力がされたとき、または表示部５に選択された文字をキー入力部４により通信処理部８に対して送信のための処理をするためのキー入力がされたときであるか否かを判断する。
【００３６】
なお、ステップS７で、文字入力モードの終了要求がないときは、ステップS２へ戻って、文字入力モードの終了要求があるまでステップS２〜ステップS７までの処理及び判断を繰り返す。
【００３７】
図５は、文字入力及び確定の動作を示すフローチャートである。
図５は、図４のステップS５のキー押下により文字入力するときの確定の動作に対応するものである。
ステップS１１で、キーが押下されたか否かを判断する。具体的には、CPU２は、キーが押下されたか否かを判断する。
【００３８】
ステップS１１でキーが押下されたとき、ステップS１２で、傾き情報とキーから文字を描画する。具体的には、CPU２は、キー入力部４によりキー入力されたキーデータを表示のために取り込みメモリ６内に保持すると共に、メモリ６内に保持されている装置本体の傾斜状態とから装置本体の傾きとキーの組み合わせに対応する文字を選択し、表示部５に選択された文字の描画をする。なお、ステップS１１で、キーが押下されないときは、ステップS１１へ戻って、キーの押下があるまでステップS１１の判断を繰り返す。
【００３９】
ステップS１３で、キーがリリースされたか否かを判断する。具体的には、CPU２は、押下されたキーがリリースされたか否かを判断する。
【００４０】
ステップS１３でキーがリリースされたとき、ステップS１４で、文字を確定する。具体的には、CPU２は、キー入力部４によりキー入力されたキーデータを確定のために取り込みメモリ６内に保持する。なお、ステップS１３で、キーがリリースされないときは、ステップS１２へ戻って、キーのリリースがあるまでステップS１２〜ステップS１３までの処理及び判断を繰り返す。
【００４１】
ステップS１５で、文字入力モードの終了要求があるか否かを判断する。具体的には、CPU２は、キー入力部４により終了のためのキー入力がされたとき、表示部５に選択された文字をキー入力部４によりメモリ６内に保持するためのキー入力がされたとき、または表示部５に選択された文字をキー入力部４により通信処理部８に対して送信のための処理をするためのキー入力がされたときであるか否かを判断する。
【００４２】
なお、ステップS１４で、文字入力モードの終了要求がないときは、ステップS１１へ戻って、文字入力モードの終了要求があるまでステップS１１〜ステップS１５までの処理及び判断を繰り返す。
【００４３】
図６は、傾斜状態による文字種の入力及び電話帳の表示を示す図であり、図６Ａは通常保持状態の平仮名、図６Ｂは左傾斜のカタカナ、図６Ｃは上傾斜の数字、図６Ｄは右傾斜のアルファベット、図６Ｅは下傾斜の電話帳グループ（１〜１０）である。図６は、図4のステップS４の文字種の選択の動作に対応するものである。
【００４４】
図６Ａに示す通常保持状態において、携帯端末装置１の表示部５には十字形の中央部が点灯する傾斜のない状態を示す傾斜状態表示部６１−１が表示される。このとき、キー入力部４の平仮名キー６３−１が押下されると、表示部５に平仮名６２−１が表示される。
【００４５】
図６Ｂに示す左傾斜状態において、携帯端末装置１の表示部５には十字形の左端部が点灯する左傾斜状態を示す傾斜状態表示部６１−２が表示される。このとき、キー入力部４のカタカナキー６３−２が押下されると、表示部５にカタカナ６２−２が表示される。
【００４６】
図６Ｃに示す上傾斜状態において、携帯端末装置１の表示部５には十字形の上端部が点灯する上傾斜状態を示す傾斜状態表示部６１−３が表示される。このとき、キー入力部４の数字キー６３−３が押下されると、表示部５に数字６２−３が表示される。
【００４７】
図６Ｄに示す右傾斜状態において、携帯端末装置１の表示部５には十字形の右端部が点灯する右傾斜状態を示す傾斜状態表示部６１−４が表示される。このとき、キー入力部４のアルファベットキー６３−４が押下されると、表示部５にアルファベット６２−４が表示される。
【００４８】
図６Ｅに示す下傾斜状態において、携帯端末装置１の表示部５には十字形の下端部が点灯する下傾斜状態を示す傾斜状態表示部６１−５が表示される。このとき、キー入力部４の電話帳グループ（１〜１０）キー６３−５が押下されると、表示部５に電話帳グループ（１〜１０）６２−５が表示される。
【００４９】
ここで、各キーが押下及びリリースされたとき、その文字種が選択されて確定されたことになる。なお、連続して同じ文字種のキーが押下及びリリースされたとき、その文字種が選択されて確定される。また、同じ文字種のキーが押下及びリリースが中断されたとき、図４に示したフローチャートに従い、ステップＳ７の終了要求がないときは、ステップＳ４の文字種の判断が繰り返される。
【００５０】
上述した図６の文字種の選択表示の後に、以下の各文字の入力が行われる。
図７は、傾斜状態による平仮名文字の入力を示す図であり、図７Ａは通常保持状態のあ行、図７Ｂは左傾斜のい行、図７Ｃは上に傾斜のう行、図７Ｄは右に傾斜のえ行、図７Ｅは下に傾斜のお行である。
【００５１】
図７Ａに示す通常保持状態において、携帯端末装置１の表示部５には十字形の中央部が点灯する傾斜のない状態を示す傾斜状態表示部７１−１が表示される。このとき、キー入力部４の平仮名キー「あ」７３−１が押下されると、表示部５に平仮名「あ」７２−１が表示される。ここでは、連続して同じの平仮名キーが押下及びリリースされたとき、その平仮名が選択されて表示されて確定される状態を示す。
【００５２】
図７Ｂに示す左傾斜状態において、携帯端末装置１の表示部５には十字形の左端部が点灯する左傾斜状態を示す傾斜状態表示部７１−２が表示される。このとき、キー入力部４の平仮名キー「い」７３−２が押下されると、表示部５に平仮名「あ」７２−１の次に平仮名「い」７２−２が表示される。
【００５３】
図７Ｃに示す上傾斜状態において、携帯端末装置１の表示部５には十字形の上端部が点灯する上傾斜状態を示す傾斜状態表示部７１−３が表示される。このとき、キー入力部４の平仮名キー「う」７３−３が押下されると、表示部５に平仮名「い」７２−２の次に平仮名「う」７２−３が表示される。
【００５４】
図７Ｄに示す右傾斜状態において、携帯端末装置１の表示部５には十字形の右端部が点灯する右傾斜状態を示す傾斜状態表示部７１−４が表示される。このとき、キー入力部４の平仮名キー「え」７３−４が押下されると、表示部５に平仮名「う」７２−３の次に平仮名「え」７２−４が表示される。
【００５５】
図７Ｅに示す下傾斜状態において、携帯端末装置１の表示部５には十字形の下端部が点灯する下傾斜状態を示す傾斜状態表示部７１−５が表示される。このとき、キー入力部４の平仮名キー「お」７３−５が押下されると、表示部５に平仮名「え」７２−４の次に平仮名「お」７２−５が表示される。
【００５６】
なお、他のカタカナ、数字、アルファベットも同様に選択されて表示されるので、その説明を省略する。以下に、電話帳グループ（１〜１０）の選択表示を説明する。なお、平仮名などの文字種を選択表示した後に、次に直ちに電話番号の数字のみを入力するモードを優先させるようにしてもよい。
【００５７】
図８は、傾斜状態による電話帳の分割グループの表示を示す図であり、図８Ａは通常保持状態の１グループ、図８Ｂは左傾斜の１/４分割グループ、図８Ｃは上に傾斜の２/４分割グループ、図８Ｄは右に傾斜の３/４分割グループ、図８Ｅは下に傾斜の４/４分割グループである。図８は、図６Ｅの電話帳グループ（１〜１０）の選択表示の動作に対応するものである。ここでは、電話帳グループ（１〜１０）の１グル−プが装置１の傾きとキーの押下とにより１／４〜４／４まで分割して選択表示される例を示す。なお、ここでも上述と同様に押下されたキーのリリースによりグループが確定する。
【００５８】
図８Ａに示す通常保持状態において、携帯端末装置１の表示部５には十字形の中央部が点灯する傾斜のない状態を示す傾斜状態表示部８１−１が表示される。このとき、キー入力部４の電話帳グループ（１〜１０）キー「１」８３−１が押下されると、表示部５に電話帳グループ（１〜１０）「１グループ」８２−１が表示される。
【００５９】
図８Ｂに示す左傾斜状態において、携帯端末装置１の表示部５には十字形の左端部が点灯する左傾斜状態を示す傾斜状態表示部８１−２が表示される。このとき、キー入力部４の電話帳グループ（１〜１０）キー「１／４」８３−２が押下されると、表示部５に電話帳グループ（１〜１０）「１／４グループ」８２−２が表示される。
【００６０】
図８Ｃに示す上傾斜状態において、携帯端末装置１の表示部５には十字形の上端部が点灯する上傾斜状態を示す傾斜状態表示部８１−３が表示される。このとき、キー入力部４の電話帳グループ（１〜１０）キー「２／４」８３−３が押下されると、表示部５に電話帳グループ（１〜１０）「２／４グループ」８２−３が表示される。
【００６１】
図８Ｄに示す右傾斜状態において、携帯端末装置１の表示部５には十字形の右端部が点灯する右傾斜状態を示す傾斜状態表示部８１−４が表示される。このとき、キー入力部４の電話帳グループ（１〜１０）キー「３／４」８３−４が押下されると、表示部５に電話帳グループ（１〜１０）「３／４グループ」８２−４が表示される。
【００６２】
図８Ｅに示す下傾斜状態において、携帯端末装置１の表示部５には十字形の下端部が点灯する下傾斜状態を示す傾斜状態表示部８１−５が表示される。このとき、キー入力部４の電話帳グループ（１〜１０）キー「４／４」８３−５が押下されると、表示部５に電話帳グループ（１〜１０）「４／４グループ」８２−５が表示される。
【００６３】
図９は、傾斜状態による電話帳の前後の分割グループ及び前後の候補の表示を示す図であり、図９Ａは通常保持状態の分割グループ、図９Ｂは左傾斜の前の候補、図９Ｃは上に傾斜の前のグループ、図９Ｄは右に傾斜の次の候補、図９Ｅは下に傾斜の次のグループである。ここでは装置１の傾きとキーの押下とにより、図８の各１／４〜４／４の分割グループから前後の分割グループの選択表示、及び前後の候補の選択表示例を示す。
【００６４】
上述した図８Ｃに示す上傾斜状態において、表示部５に電話帳グループ（１〜１０）「２／４グループ」８２−３が表示された後に、図９Ａに示す通常保持状態において、携帯端末装置１の表示部５には十字形の中央部が点灯する傾斜のない状態を示す傾斜状態表示部９１−１が表示される。このとき、キー入力部４の電話帳グループ（１〜１０）キー「２／４」９３−１が押下されると、表示部５に電話帳グループ（１〜１０）の「現在の２／４グループの現在の候補（ｎ）」９２−１が表示される。
【００６５】
図９Ｂに示す左傾斜状態において、携帯端末装置１の表示部５には十字形の左端部が点灯する左傾斜状態を示す傾斜状態表示部９１−２が表示される。このとき、キー入力部４の電話帳グループ（１〜１０）キー「２／４」９３−２が押下されると、表示部５に電話帳グループ（１〜１０）「２／４グループの前の候補（ｎ−１）」９２−２が表示される。
【００６６】
図９Ｃに示す上傾斜状態において、携帯端末装置１の表示部５には十字形の上端部が点灯する上傾斜状態を示す傾斜状態表示部９１−３が表示される。このとき、キー入力部４の電話帳グループ（１〜１０）キー「１／４」９３−３が押下されると、表示部５に電話帳グループ（１〜１０）「前の１／４グループの現在の候補（ｎ）」９２−３が表示される。
【００６７】
図９Ｄに示す右傾斜状態において、携帯端末装置１の表示部５には十字形の右端部が点灯する右傾斜状態を示す傾斜状態表示部９１−４が表示される。このとき、キー入力部４の電話帳グループ（１〜１０）キー「２／４」９３−４が押下されると、表示部５に電話帳グループ（１〜１０）の「現在の２／４グループの次の候補（ｎ＋１）」９２−４が表示される。
【００６８】
図９Ｅに示す下傾斜状態において、携帯端末装置１の表示部５には十字形の下端部が点灯する下傾斜状態を示す傾斜状態表示部９１−５が表示される。このとき、キー入力部４の電話帳グループ（１〜１０）キー「３／４」９３−５が押下されると、表示部５に電話帳グループ（１〜１０）の「次の３／４グループの現在の候補（ｎ）」９２−５が表示される。
【図面の簡単な説明】
【００６９】
【図１】本発明の実施の形態の通信装置が適用される携帯端末装置の概観図である。
【図２】携帯端末装置の構成を示すブロック図である。
【図３】要部を示すハードウエア構成図である。
【図４】文字入力モードの動作を示すフローチャートである。
【図５】文字入力及び確定の動作を示すフローチャートである。
【図６】傾斜状態による文字種の入力及び電話帳の表示を示す図であり、図６Ａは通常保持状態の平仮名、図６Ｂは左傾斜のカタカナ、図６Ｃは上に傾斜の数字、図６Ｄは右に傾斜のアルファベット、図６Ｅは下に傾斜の電話帳グループ（１〜１０）である。
【図７】傾斜状態による平仮名文字の入力を示す図であり、図７Ａは通常保持状態のあ行、図７Ｂは左傾斜のイ行、図７Ｃは上に傾斜のう行、図７Ｄは右に傾斜のえ行、図７Ｅは下に傾斜のお行である。
【図８】傾斜状態による電話帳の分割グループの表示を示す図であり、図８Ａは通常保持状態の１グループ、図８Ｂは左傾斜の１/４分割グループ、図８Ｃは上に傾斜の２/４分割グループ、図８Ｄは右に傾斜の３/４分割グループ、図８Ｅは下に傾斜の４/４分割グループである。
【図９】傾斜状態による電話帳の前後の分割グループ及び前後の候補の表示を示す図であり、図９Ａは通常保持状態の分割グループ、図９Ｂは左傾斜の前の候補、図９Ｃは上に傾斜の前のグループ、図９Ｄは右に傾斜の次の候補、図９Ｅは下に傾斜の次のグループである。
【符号の説明】
【００７０】
１…携帯端末装置、２…CPU、３…傾き検出センサ、４…キー入力部、５…表示部、６…メモリ、７…ＲＦ処理部、８…通信処理部、９…制御部、１０…アンテナ、６１−１…通常保持状態の傾斜状態表示部、６２−１…平仮名、６３−１…平仮名キー、６１−２…左傾斜の傾斜状態表示部、６２−２…カタカナ、６３−２…カタカナキー、６１−３…上に傾斜の傾斜状態表示部、６２−３…数字、６３−３…数字キー、６１−４…右に傾斜の傾斜状態表示部、６２−４…アルファベット、６３−４…アルファベットキー、６１−５…下に傾斜の傾斜状態表示部、６２−５…電話帳グループ（１〜１０）、６３−５…電話帳グループ（１〜１０）キー、７１−１…通常保持状態の傾斜状態表示部、７２−１…平仮名「あ」行、７３−１…平仮名「あ」行キー、７１−２…左傾斜の傾斜状態表示部、７２−２…平仮名「い」行、７３−２…平仮名「い」行キー、７１−３…上に傾斜の傾斜状態表示部、７２−３…平仮名「う」行、７３−３…平仮名「う」行キー、７１−４…右に傾斜の傾斜状態表示部、７２−４…平仮名「え」行、７３−４…平仮名「え」行キー、７１−５…下に傾斜の傾斜状態表示部、７２−５…平仮名「お」行、７３−５…平仮名「お」行キー、８１−１…通常保持状態の傾斜状態表示部、８２−１…グループ（１〜１０）、８３−１…グループ（１〜１０）キー、８１−２…左傾斜の傾斜状態表示部、８２−２…１／４グループ、８３−２…１／４グループキー、８１−３…上に傾斜の傾斜状態表示部、８２−３…２／４グループ、８３−３…２／４グループキー、８１−４…右に傾斜の傾斜状態表示部、８２−４…３／４グループ、８３−４…３／４グループキー、８１−５…下に傾斜の傾斜状態表示部、８２−５…４／４グループ、８３−５…４／４グループキー、９１−１…通常保持状態の傾斜状態表示部、９２−１…現在のグループの現在の候補、９３−１…現在のグループー、９１−２…左傾斜の傾斜状態表示部、９２−２…現在のグループの前の候補、９３−２…現在のグループキー、９１−３…上に傾斜の傾斜状態表示部、９２−３…前のグループの現在の候補、９３−３…前のグループキー、９１−４…右に傾斜の傾斜状態表示部、９２−４…現在のグループの次の候補、９３−４…現在のグループキー、９１−５…下に傾斜の傾斜状態表示部、９２−５…次のグループの現在の候補、９３−５…次のグループキー
【図１】
2005159470.tif 000003
【図２】
2005159470.tif 000004
【図３】
2005159470.tif 000005
【図４】
2005159470.tif 000006
【図５】
2005159470.tif 000007
【図６】
2005159470.tif 000008
【図７】
2005159470.tif 000009
【図８】
2005159470.tif 000010
【図９】
2005159470.tif 000011